Podtech/llm-jp-corpus-v4-ja_patent huggingface dataset:
(57)【要約】【課題】植木鉢に手軽に給肥の出来るスプレーポンプ式給肥器具を提供する。【解決手段】スプレーボトル１にハンデイ操作式のスプレーポンプ２をやや傾けて装着し、このスプレーポンプ２から長く伸ばしたパイプ３の先に給肥ノズル４を設けたものであり、また前記給肥ノズル４の先端は鋭角に尖らせた先細りでその後方のパイプ３部分に吐出穴５を複数個穿設した。【選択図】図１
0003125053.tif 000002
【実用新案登録請求の範囲】
【請求項１】
スプレーボトル（１）にハンデイ操作式スプレーポンプ（２）をやや傾けて装着し、このスプレーポンプ（２）から長く伸ばしたパイプ（３）の先に給肥ノズル（４）を設けた鉢植え用給肥器具。
【請求項２】
前記給肥ノズル（４）の先端は鋭角に尖らせた先細りでその後方のパイプ（３）部分に吐出穴（５）を複数個穿設した請求項１記載の鉢植え用給肥器具。
【考案の詳細な説明】
【技術分野】
【０００１】
本考案は、植物の根廻りに液体肥料を直接給肥できる給肥器具に関するものである。
【背景技術】
【０００２】
従来の給肥器具は、土の表面部分に液体肥料を給肥するものが主で、液体肥料を土壌中に給肥する器具が少なく汎用的に使用するには不十分であった。また土壌中に差込んで浸透させて給肥するものは液体肥料の供給管理が必要なため根廻りの任意の場所に給肥できない欠点があった。
【０００３】
薬液を土壌中に注入するものとして下記の特許文献が開示されている。特許文献１、２のものは空気と薬液等を同時に注入する方式のものであり、特許文献３は土壌に打ち込んでピストンを摺動させて空気と薬液等を同時に注入する方式のものである。特許文献４、５は土壌に打ち込んで浸透方式のものであり、いずれも薬液を土壌中に注入するものである。
【特許文献１】特開２０００―２３２８１１号公報
【特許文献２】実開昭６２―１２２５７８号公報
【特許文献３】登録実用新案第３０７４０９８号公報
【特許文献４】特開２００２―３５４９１９号公報
【特許文献５】実開昭６２―１９８９５３号公報
【考案の開示】
【考案が解決しようとする課題】
【０００４】
本考案は、植木鉢に手軽に給肥の出来るスプレーポンプ式給肥器具を提供する。
【課題を解決するための手段】
【０００５】
本考案の鉢植え用給肥器具は、スプレーボトル１にハンデイ操作式のスプレーポンプ２をやや傾けて装着し、このスプレーポンプ２から長く伸ばしたパイプ３の先に給肥ノズル４を設けたものであり、また前記給肥ノズル４の先端は鋭角に尖らせた先細りでその後方のパイプ３部分に吐出穴５を複数個穿設したことを特徴としている。
【考案の効果】
【０００６】
本考案によれば以下のような効果がある。
１．ハンデイ操作式のスプレーポンプを用いたので手軽に植木鉢への給肥が出来る。
２．スプレーボトルに対しスプレーポンプの取付けを約３０度傾けて設置したので土壌中に給肥ノズルを差込むときスプレーボトル全体の重量が差込む力の補助となり給肥作業の負担が軽減できる。
３．スプレーボトルを傾けずに給肥できるため最後まで安定した液体肥料の吐出ができる。
４．根廻りに給肥ノズルを差込んでノズル先端の吐出穴から液体肥料を任意の部分に直接給肥できる。
５．給肥ノズルの先端は尖らせたので土壌中に差込みやすく、先端に穴が無いので差込む際に土が入らず吐出穴５が詰まり難いなどの効果がある。
【考案を実施するための最良の形態】
【０００７】
本考案の鉢植え用給肥器具は、スプレーボトルにハンデイ操作式のスプレーポンプをやや傾けて装着し、このスプレーポンプから長く伸ばしたパイプの先に給肥ノズルを設けたものであり、また前記給肥ノズルの先端は鋭角に尖らせた先細りでその後方のパイプ部分に吐出穴を複数個穿設したものである。
【実施例１】
【０００８】
以下、本考案の好適なひとつの実施例を図面に基づき説明する。図１は本考案の土壌中に差込んで使用する給肥器具の説明図である。本装置は底面が平坦な円筒形のスプレーボトル１の先端開口にねじ込み式のハンデイ操作式スプレーポンプ２を約３０度(角度θ)傾けて装着し、このスプレーポンプ２から長く伸ばしたパイプ３の先に給肥ノズル４を設けたものである。
【０００９】
そして図２に示すように、給肥ノズル４の先端は尖らせて密閉し土壌中に差込みやすくしてある。すなわちノズル先端はパイプ３の先を鋭角に尖らせた先細りでその後方のパイプ３部分に吐出穴５を複数個周方向に位置をずらして穿設してある。尚、この給肥ノズル４部分はねじ込み交換式としても良い。
【００１０】
また前記スプレーボトル１の上部にネジキャップ６付きの給液口を設けて、スプレーポンプ２を取外すことなく液体肥料の補給ができるようにしてある。
【００１１】
そして給肥するときは、鉢植えの植物の根廻りに給肥ノズル４を差込んでスプレーポンプ２のハンドル２ａを握ってポンプ操作し、液体肥料を給肥ノズル４の吐出穴５から吐出させる。
【産業上の利用可能性】
【００１２】
本装置は、鉢植え等の根廻りに液体肥料を給肥することに用いるものであるが本装置を大型化して圧縮空気を併用すれば木等の大型の植物への給肥等幅広い分野への展開も可能である。
【図面の簡単な説明】
【００１３】
【図１】本考案、給肥器具の使用状態説明図である。
【図２】給肥ノズル部分の断面図である。
【符号の説明】
【００１４】
１  スプレーボトル
２  スプレーポンプ
３  パイプ
４  給肥ノズル
５  吐出穴
６  ネジキャップ
【図１】
0003125053.tif 000003
【図２】
0003125053.tif 000004
(57)【要約】【課題】折りたたみ式着物包装紙（たとう紙）として、構造が簡単で、たんすの引出しに積み重ねて収納した状態のままで或いは引出し中において僅かに手を添えるだけで、包装されている着物のすべてを確認することができるものを提供する。【解決手段】上部フラップ１１の長手方向の中央部の折り目部に、上部フラップ１１側と中央胴部１２側の両側に広がる窓穴１３を形成し、この窓穴１３を透明プラスチックフィルム片などの透明シート片１４で閉鎖する。たんすの引出し中には、窓穴１３が引出しの手前側に位置する状態で収納する。【選択図】図１
0003125057.tif 000002
【実用新案登録請求の範囲】
【請求項１】
外部フラップの折り目部に、透明シート片で閉鎖した窓穴を形成してなる、折りたたみ式着物包装紙。
【請求項２】
窓穴が、外部フラップ部側と中央胴部側に広がる、請求項１記載の折りたたみ式着物包装紙。
【考案の詳細な説明】
【技術分野】
【０００１】
この考案は、着物の包装に用いる折りたたみ式着物包装紙（たとう紙）の改良に関する。
【背景技術】
【０００２】
周知のように、この種の慣用の着物包装紙には、包装した着物を確認し易くするために、折りたたみ時（包装時）に外表部を占める外部フラップの中央部に、透明シート片で閉鎖した窓穴が設けられている。
【０００３】
しかしたんすの引出しに積み重ねて収納した状態では、下側のものは、上側に積み重なっているものを相当量持ち上げるか、あるいは引出しの外に出さなければ着物の確認をすることができないという厄介さがある。
【０００４】
このような厄介さの点から、外部フラップの折り目（中央胴部との境界）近傍に、着物サンプル類を収容する透明なポケットを設けることが提案されている（例えば、特許文献１参照）。
【０００５】
この既提案のものによれば、たんすの引出し中において下側に積み重ねたものでも、上側のものの僅かな持ち上げで着物の確認を行うことができるが、ポケットの形成は比較的厄介で、コストアップになるため、余り普及するに至っていない。
【特許文献１】特開２００２−２６４９６９号公報
【考案の開示】
【考案が解決しようとする課題】
【０００６】
この考案は、上記のような状況に鑑み、構造が簡単で、かつ実質上たんすの引出しに積み重ねて収納した状態のままで着物を確認することが可能な折りたたみ式着物包装紙を提供することを課題としている。
【課題を解決するための手段】
【０００７】
この考案に係る折りたたみ式着物包装紙は、実用新案登録請求の範囲の請求項１に記載のように、外部フラップの折り目部（外部フラップと中央胴部との境界部）に、透明シート片で閉鎖した窓穴を設ける構成からなる。
【０００８】
請求項１に記載の着物包装紙においては、窓穴は、外部フラップ部側と中央胴部側に広がる（及ぶ）形に形成することが望ましい。
【考案の効果】
【０００９】
請求項１に記載のこの考案に係る着物包装紙の基本構成によれば、着物の包装状態において、窓穴がたんすの引出しの手前側に位置するように引出し中に収納することにより、複数のものを積み重ねた状態であっても、そのままか、或いは僅かに手を添えるだけで内部の着物を確認することができる。
【００１０】
また請求項２に記載の窓穴の形によれば、窓穴の大きさ（広さ）の点から、包装してある着物を一段とはっきりと確認することができる。
【考案を実施するための最良の形態】
【００１１】
図面は、この考案に係る着物包装紙の好適な実施形態の要部を示したもので、この実施形態は、外部フラップ１１の長手方向の中央部の折り目部に、外部フラップ１１側とともに中央胴部１２側にも広がる窓穴１３を形成し、この窓穴１３全体を外部フラップ１１と中央胴部１２の内面側から透明プラスチックフィルム片などの透明シート片１４で閉鎖した構造からなっている。
【００１２】
なお図示はしないが、外部フラップの内面の長手方向の中間部の折り目近傍部と、折りたたみ時にこの外部フラップの折り目近傍部に対向する内部フラップの外面の折り目近傍部には、雌雄一対のベルベット式ファスナが取り付けてある。
【００１３】
この図示した形態によれば、図２に示すような着物の包装時（図１に示す内面側の展開状態において、着物を中央胴部１２上に設置した後、左右両端部の紐付き端部フラップを折りたたんで、紐を結び合わせ、次いで内部フラップを折りたたんだ後、外部フラップを折りたたんで、両者を雌雄一対のベルベット式ファスナーで接合する）には、窓穴１３がたんすの引出しの手前側に位置する状態で収納することにより、そのままの状態で又は僅かに手を添えることにより内部の着物を確認することができる。
【００１４】
この考案の着物包装紙は、このほか、窓穴を、外部フラップの長手方向の中央部以外の中間部や端部の折り目域に設けるなど、種々の形態で実施することができるもので、図示の形態に限定されるものでない。
【図面の簡単な説明】
【００１５】
【図１】この考案に係る折りたたみ式着物包装紙の好適な実施形態の内面側の展開状態の略斜視図である。
【図２】図１に示す実施形態を折りたたんだ状態の略斜視図である。
【符号の説明】
【００１６】
１１  外部フラップ
１２  中央胴部
１３  窓穴
１４  透明シート片
【図１】
0003125057.tif 000003
【図２】
0003125057.tif 000004
(57)【要約】【課題】長時間の旅行における足まわりの環境を改善し、疲労を軽減する。【解決手段】中央部に設けたヒンジ２により折り畳み可能な円形の底板１と、これに周辺部で接着され、内部に空気を吹き込むことによりクッション体を形成する軟質ゴム膜３と、底板１に設けられた空気吹き込み口４と、底板１に取り付けられた折り畳み用固定バンド５と、これを係合する固定ボタン６とから旅行用足枕を構成する。【選択図】図１
0003125055.tif 000002
【実用新案登録請求の範囲】
【請求項１】
中央部に設けたヒンジ（２）により折り畳み可能な略円形の底板（１）と、この底板（１）と周辺部で接着され、内部に空気を吹き込むことによりクッション体を形成する軟質ゴム膜（３）と、前記底板（１）に設けられた空気吹き込み口（４）と、前記底板（１）のヒンジ（２）から遠い位置に取り付けられた折り畳み用固定バンド（５）と、この固定バンド（５）の先端と底板（１）とを係合する固定ボタン（６）とからなることを特徴とする旅行用足枕。
【考案の詳細な説明】
【技術分野】
【０００１】
本考案は、長距離飛行の航空機内、あるいは列車内等において使用する旅行用足枕に関する。
【背景技術】
【０００２】
航空機や新幹線、在来線のグリーン車等の列車内には、長距離の旅行における足まわりの疲労を軽減するため、椅子の前面にフットレスト等の設備が設けられ、また靴を脱いでサンダルを着用するなどの対策が講じられるようになっているが、長時間の拘束による浮腫や疲労は解消されていない。
【考案の開示】
【考案が解決しようとする課題】
【０００３】
本考案は、長時間の旅行における足まわりの環境を改善し、緊張を緩和させることのできる携行容易な足枕を提供することを目的とする。
【課題を解決するための手段】
【０００４】
本考案は、中央部に設けたヒンジにより折り畳み可能な略円形の底板と、この底板と周辺部で接着され、内部に空気を吹き込むことによりクッション体を形成する軟質ゴム膜と、前記底板に設けられた空気吹き込み口と、前記底板のヒンジから遠い位置に取り付けられた折り畳み用固定バンドと、この固定バンドの先端と底板とを係合する固定ボタンとからなることを特徴とする旅行用足枕である。
【考案の効果】
【０００５】
本考案によれば、長時間の旅行における足まわりの疲労が軽減され、血行不良や緊張が緩和され、リラックスした快適な旅行を楽しむことができるという、すぐれた効果を奏する。
【考案を実施するための最良の形態】
【０００６】
本考案の実施例を図面により説明する。図１は実施例の旅行用足枕を示す斜視図、図２は正面図で、１は中央部で２分割された略円形の底板、２はその分割部に設けられたヒンジ、３は底板１と周辺部で接着され、内部に空気を吹き込むことによりクッション体を形成する軟質ゴム膜である。図１、図２は軟質ゴム膜３がふくらんだ状態を示している。
図３は実施例の旅行用足枕の表面側を示す平面図、図４は裏面側を示す底面図で、４は底板１に設けられた空気吹き込み口、５は底板１のヒンジ２から遠い位置に取り付けられた折り畳み用固定バンド、６はこの固定バンド５の先端と底板とを係合する固定ボタンで、６ａ、６ｂが係合する。空気吹き込み口４は底板１のどこか１か所に設ければよい。中央の突起を押すことにより空気が抜けるが、そうでないときは内部の空気を保持する逆止弁の機能を有するもので、市販品である。
【０００７】
図５は実施例の旅行用足枕の折り畳んだ状態を示す斜視図である。
この足枕は、空気吹き込み口４から空気を吹き込んで軟質ゴム膜３をふくらませ、図１、図２の状態にして使用する。空気の吹き込み加減によりクッションの軟らかさを調整できる。やや軟らかめにふくらませると、足をどこにおいても形状をフィットさせることができる。ふくらませた足枕を座席の足元、あるいはフットレスト等に載置し、軟質ゴム膜３のクッション体の上に足、あるいは足首を載せる。軟質ゴム膜３の表面は摩擦力があるので、足がずれることがない。
【０００８】
使用しないときは空気を抜き、全体を２つに折り畳んで図５の状態とし、固定ボタン６を止めて固定バンド５で固定すれば携行に便利である。
【図面の簡単な説明】
【０００９】
【図１】実施例の旅行用足枕を示す斜視図である。
【図２】実施例の旅行用足枕を示す正面図である。
【図３】実施例の旅行用足枕を示す平面図である。
【図４】実施例の旅行用足枕を示す底面図である。
【図５】実施例の旅行用足枕の折り畳んだ状態を示す斜視図である。
【符号の説明】
【００１０】
１    底板
２    ヒンジ
３    軟質ゴム膜
４    空気吹き込み口
５    固定バンド
６    固定ボタン
【図１】
0003125055.tif 000003
【図２】
0003125055.tif 000004
【図３】
0003125055.tif 000005
【図４】
0003125055.tif 000006
【図５】
0003125055.tif 000007
(57)【要約】      （修正有）【課題】身体の不自由な使用者でも身体の所望部位に水を噴出させることができる。【解決手段】  柄部１０の長さ寸法を３５ｃｍに設定し、シャワーヘッド１１の噴出面１１ａをその面積が大きくなるように長方形に形成する。グリップ部分１０ａを使用者の手で握持し、シャワーヘッド１１を身体の各部まで案内して水を噴出させる。この場合、柄部１０及びシャワーヘッド１１の長さ寸法が大きく設定されているので、例えば腕の動く範囲が制限されていてもシャワーヘッド１１を身体の所望部位まで案内することができ、又特にシャワーヘッド１１の噴出面１１ａが大きく形成されているので確実に所望部位に水を当てることができる。【選択図】図１
0003125032.tif 000002
【実用新案登録請求の範囲】
【請求項１】
基部に水を供給するためのホースが接合されて使用者の手により握持される柄部と、該柄部の先端に設けられて前記水を噴出するシャワーヘッドとを備えるシャワー装置において、
前記柄部は少なくとも３０ｃｍ以上の長さ寸法を有し、
前記シャワーヘッドは前記水の噴出面を大きくすべく前記柄部の長さ方向に沿った長さ寸法が幅寸法よりも大きく形成されている、
ことを特徴とするシャワー装置。
【請求項２】
前記柄部の前記基部側に握持部分が設けられていることを特徴とする請求項１記載のシャワー装置。
【請求項３】
前記シャワーヘッドは水の噴出面が長方形に形成されていることを特徴とする請求項１記載のシャワー装置。
【考案の詳細な説明】
【技術分野】
【０００１】
本考案は、シャワー装置に関し、特に使用者の握持する柄部に特徴を有するシャワー装置に関する。
【背景技術】
【０００２】
シャワー装置は、使用者が柄部を握持し、身体の必要な部位にシャワーヘッドから水を噴出して身体の汚れを落とす等のために用いられる。
【考案の開示】
【考案が解決しようとする課題】
【０００３】
ところで、シャワー装置は、従来、柄部の長さ寸法が、例えば、１５ｃｍ程度と短尺に設定されている。しかし、このように柄部の長さ寸法が小さいと、使用者が例えば、“五十肩”等である場合、腕の動く範囲が制限されるため、背面側の所望の部位に水を当てることが困難となることがある。
本考案は、腕などの動きが制限される使用者であっても身体の所望の部位に水を噴出させて当てることが可能なシャワー装置を提供することを目的とする。
【課題を解決するための手段】
【０００４】
本考案は上記課題を解決するため次のような構成を具備する。
【０００５】
即ち、本考案は、基部に水を提供するためのホースが接合されて使用者の手により握持される柄部と、該柄部の先端に設けられて水を噴出するシャワーヘッドとを備えるシャワー装置において、柄部は少なくとも３０ｃｍ以上の長さ寸法を有し、シャワーヘッドは水の噴出面を大きくすべく柄部の長さ方向に沿った長さ寸法が幅寸法よりも大きく形成されている、ことを特徴とする。
【０００６】
上記柄部にはその基部側に握持部分を設けるようにしてもよい。
【考案の効果】
【０００７】
本考案によれば、柄部及びシャワーヘッドの長さ寸法を大きく設定したので、身体の不自由な使用者であっても身体の所望の部位に水を当てることが可能である。
【考案を実施するための最良の形態】
【０００８】
以下、本考案の実施形態を図面を参照して説明する。
【実施例】
【０００９】
図１及び図２は、本考案に係るシャワー装置の正面図と側面図である。
【００１０】
このシャワー装置は、柄部１０とシャワーヘッド１１とから成る。柄部１０の基部にはホース１２が接合され、この基部側には使用者が握持するためのグリップ部分１０ａが形成されている。そして、柄部１０はその全長が３５ｃｍに設定され、グリップ部分１０ａが８ｃｍの長さ寸法で形成されている。
【００１１】
このグリップ部分１０ａは握力の弱い使用者を考慮して設けられている。
【００１２】
シャワーヘッド１１は柄部１０の先端に一体形成され、その長さ寸法Ｌは１０ｃｍ、幅寸法Ｗは４ｃｍにそれぞれ設定されている。これにより多数の噴出穴の設けられている噴出面１１ａは長方形となり、通常のヘッド噴出面に対し２倍以上の大きさに設定される。
【００１３】
上記柄部１０及びそのシャワーヘッド１１は、その軽量化を図るため薄肉のプラスチック材より形成するのが好ましい。
【００１４】
本考案のシャワー装置の使用態様は、グリップ部分１０ａを使用者の手で握持し、シャワーヘッド１１を身体の各部まで案内して水を噴出させる。この場合、柄部１０及びシャワーヘッド１１の長さ寸法が大きく設定されているので、例えば、腕の動く範囲が制限されていてもシャワーヘッド１１を身体の所望部位まで案内することができ、又特にシャワーヘッド１１の噴出面１１ａが大きく形成されているので確実に所望部位に水を当てることができる。
【００１５】
上記実施例において、上記柄部１０を３０ｃｍ以上の長さ寸法に設定すれば、シャワーヘッド１１を所望する部位まで案内することが可能である。
また、シャワーヘッド１１の噴出面１１ａは長方形以外に楕円形であってもよく、用は面積が大きい形状であればよい。
【図面の簡単な説明】
【００１６】
【図１】本考案に係るシャワー装置の正面図である。
【図２】同装置の側面図である。
【符号の説明】
【００１７】
１０    柄部
１１    シャワーヘッド
１１ａ  噴出面
１２    ホース
【図１】
0003125032.tif 000003
【図２】
0003125032.tif 000004
(57)【要約】      （修正有） 【課題】長期間放置しても外光によって変色・変質し難く、再利用に適した飲料容器を提供すること。【解決手段】本体１を陶磁器素材で製作するにあたり、焼成による収縮や変形を踏まえて石膏型を形成し、生地を素焼、本焼した後、本体側面に絵柄４を施し更に焼成する。本体に、飲料物を注入し内蓋２と外蓋３で密閉する。本体を陶磁器製にしたことで、外光による飲料物の変色や変質を防ぎ、飲料後は廃棄されることなく再利用できる陶磁器製カップ型飲料容器となる。【選択図】図１
0003125036.tif 000002
【実用新案登録請求の範囲】
【請求項１】
開閉自在の蓋材と本体容器からなるカップ型容器において、
本体容器を陶磁器製としたことを特徴とするカップ型飲料容器。
【請求項２】
陶磁器製容器本体の側面に、模様を施した請求項１に記載した
カップ型飲料容器。
【考案の詳細な説明】
【技術分野】
【０００１】
本考案は、酒や焼酎などアルコール類や甘酒などを入れるカップ型飲料容器に関する。
【背景技術】
【０００２】
図２は、従来の蓋付カップ型飲料容器を示す。同図においてこの容器本体５は、ガラスや透明プラスチック製で、飲料物を入れた後はアルミ製の内蓋２で密閉されている。内蓋２は開閉自在で、本体１は持ちやすい大きさである。個々に告ぎわける手間や別にコップを用意する必要がないので、野外でのお花見やキャンプなどに持参されている簡易飲料容器で、アルコール飲料が入って安価に販売されている。
【考案の開示】
【考案が解決しようとする課題】
【０００３】
このカップ型飲料容器に入った飲料物は、時間の経過とともに外光によって変色や変質する恐れがある。
【０００４】
外光により、中に入っている飲料物の変色や変質を防ぐために、飲料容器本体１を紫外線から防御するために、色付きのガラスやプラスチック材を使うことがある。
【０００５】
しかしながら、この方法は一般に飲料物や調味料を販売する際に使われている瓶やプラスチック容器と同じ材質で同色であるが、半透明ということもあり光を遮断する効果は低い。
【０００６】
さらに、使用後は、再利用しづらいデザインのため簡単に廃棄され、再利用しようとしてもアルコール飲料が入っていたとはっきり分かるため使いづらい問題もある。
【０００７】
この考案は、長期間放置しても外光によって変色・変質し難く、再利用に適した飲料容器を提供する。
【課題を解決するための手段】
【０００８】
本考案は、飲料容器本体を陶磁器製としたことを特徴とする。
【０００９】
本考案を適用するに際し、図２に示す従来のガラス製の本体を有するものと同様の大きさのものとすることが、内蓋の利用面、製造に際しての作業工程がそのまま利用できて都合がよい。
【００１０】
アルミ製の内蓋の直径が、約６．４センチで、一般に販売されているカップ酒の容量が１８０ミリリットルである。陶磁器は、焼成により収縮がある。本体の円周を女性の手でも持ちやすい大きさにする。以上のことを考慮し原型の図面を描き、石膏型を製作する。
【００１１】
石膏型で原型を製作した後、生地を作り、素焼、本焼をする。
【００１２】
本焼した本体を、通常の酒カップの生産ラインと同じ方法で飲料物を詰めて内蓋をする。内蓋と本体とのかん合具合や、本体を逆さにしたり、横にしたり、振ってみたりして、中に入った飲料物がこぼれてこないか確認をする。
【００１３】
中に入った飲料物がこぼれているものは、飲み口の円形が変形していたり、水平になっていなかったり、内蓋が本体にかみ合っていないので、石膏型を修正し、素焼、本焼と上記の試験を繰り返し行い、変形がなく内蓋とのかん合具合がよいものにする。
【００１４】
本体の色は、白色をはじめ磁器で使用する釉薬で変えることができ、側面は、手書きで染付けや色絵付けや、転写といった方法で、好みに応じた各種絵柄を施すことができる。
【考案の効果】
【００１５】
本考案によって以下の効果を奏する。
【００１６】
１．本体１を陶磁器製にしたことで、これまで以上に外光を遮断できるようになり、光に敏感だった飲料物を入れることが可能になる。
【００１７】
２．側面に絵柄を施すことにより、使用後は通常の陶磁器製の湯呑みやカップとして、外蓋を使って菓子などの保存容器として違和感なく使用できリサイクル性を高めることができる。
【００１８】
３．本体の高さや、飲み口の直径など従来のものとほぼ同じサイズにしたことで、従来使っていた開閉自在のアルミの内蓋を使うことができる。飲料物を入れる前の容器の洗浄や、飲料物を入れて蓋をするなどの作業工程や機械など従来と変える必要がない。
【００１９】
４．本体の製作は、通常の陶磁器製品と同じ材料や行程でできる。側面の色や絵柄のデザインを簡単に変えることが出来るので、これまでの安価な簡易飲料というイメージが一身でき、中身の飲料物の特色や使う目的に合せた飲料容器を作ることができる。土産や贈答品など用途が広がる。
【実施例】
【００２０】
図１は、本考案の容器を酒用とした例を示す。
【００２１】
容器本体は、磁器製で、石膏型を使い鋳込みの方法を使い生地を成型する。本焼で約１０パーセント収縮や変形することを考えて、高さ約１２センチ、直径約７センチ、生地の厚み約４ミリの生地ができる石膏型を成型する。
【００２２】
出来上がった生地を乾燥させ素焼し、釉薬を掛け約１３００度で本焼した後、好きな絵柄を転写紙に起こしておいたものを本体に貼り付け更に焼成し、本体が完成する。
【００２３】
通常、ガラス製のカップ型飲料容器を洗浄していた機械を使って、本体１を洗浄し乾燥する。
【００２４】
洗浄した本体１に、飲料物を注入した後に専用機械を使ってアルミ製内蓋２で密閉する。さらに、樹脂製外蓋３で蓋をする。
【００２５】
飲料の際は、開閉自在の樹脂製外蓋３をはずし、アルミ製内蓋２の
プルタグ５を持ち剥ぎ取るようにすればアルミ製内蓋２を簡単に開けることができる。
【００２６】
飲料を中断する場合は、開閉自在の樹脂製外蓋３で蓋をすれば、中身がこぼれる心配がない。
【００２７】
飲料後は、通常の陶磁器製食器と同じく洗浄ができ、湯呑みやカップとして、花瓶として、樹脂製外蓋３を使い菓子や薬など身近なものを保存する容器として使うことができる。
【００２８】
これまで野外のお花見などで楽しむ簡易飲料の容器でしかなかったが、陶磁器製にしたことで、お土産や記念品や贈答品として使われる用途が広がる。飲料物を楽しんだ後、飲料容器で楽しむという付加価値をつけたものになる。
【図面の簡単な説明】
【００２９】
【図１】本考案の陶磁器製カップ型飲料容器
【図２】従来のカップ型飲料容器
【符号の説明】
【００３０】
１．陶磁器製カップ型飲料容器本体
２．アルミ製内蓋
３．樹脂製外蓋
４．本体側面に施した絵柄
５．アルミ製内蓋付属のプルタグ
６．従来のカップ型飲料容器本体
【図１】
0003125036.tif 000003
【図２】
0003125036.tif 000004
(57)【要約】【課題】  筒状パーツ部品の金属部材への熔接による取り付けが傾きなく正確に行え、筒状部内への熔融物の侵入も防止できる筒状パーツ部品を得る。【解決手段】  円筒部１２と、該円筒部１２の一端に金属部材２への電気熔接による取り付けが可能な鍔部１３とを備えた筒状パーツ部品１において、鍔部１３の外面側外周部に断面三角状の熔接用凸起１４を全周わたって一体に突設すると共に、この凸起１４に沿う内側全周に、熔接時に溶けた凸起１４の溶融物が流れ込む全周溝１５を形成した。【選択図】図１
0003125012.tif 000002
【実用新案登録請求の範囲】
【請求項１】
円筒部と、該円筒部の一端に金属部材への電気熔接による取り付けが可能な鍔部とを備えた筒状パーツ部品において、鍔部の外面側外周部に断面三角状の熔接用凸起を全周わたって一体に突設すると共に、この凸起に沿う内側全周に、熔接時に溶けた凸起の溶融物が流れ込む全周溝を形成したことを特徴とする筒状パーツ部品。
【考案の詳細な説明】
【技術分野】
【０００１】  本考案は、円筒部と、該円筒部の一端に金属部材への電気熔接による取り付けが可能な鍔部とを備えた筒状パーツ部品に関する。
【背景技術】
【０００２】  従来、例えば金属部材に電気熔接により熔着されて使用される円筒状ナット６は、図３に示すように、内部に雌ネジ６１が形成された円筒部６２と、該円筒部６２の一端に設けられ、金属部材７に取り付けるための鍔部６３とからなり、鍔部６３の外面側外周部に熔接用の凸起６４を設けた構成となっている。そして、円筒状ナット６の金属部材７への取り付けに際しては、円筒状ナット６における円筒部６２の中心Ａと金属部材７に形成された貫通孔７１の中心Ｂとを一致させるように当接させ、その状態で鍔部６３を金属部材７に電気熔接して熔着するようになされている。
【考案の開示】
【考案が解決しようとする課題】
【０００３】  ところが、上記した従来の円筒状ナット６にあっては、図４に示すように円筒状ナット６を金属部材７に熔着した際、熔接時に生じる凸起６４の熔融物が鍔部６３と金属部材７との間に不規則に残るため、鍔部６３と金属部材７との平行度が保てず、その結果、円筒部６２が傾きその中心Ａと金属部材７の貫通孔７１の中心Ｂとが狂ってしまう問題があった。また、熔接時に生じる凸起６４の熔融物の一部が円筒部６２内に入り込んで雌ネジ６１に付着するといった問題も有していた。【０００４】  そこで、本考案は、筒状パーツ部品の金属部材への熔接による取り付けが傾きなく正確に行え、筒状部内への熔融物の侵入も防止できる筒状パーツ部品の提供を課題とする。
【課題を解決するための手段】
【０００５】  上記した問題を解決するために、本考案は、円筒部と、該円筒部の一端に金属部材への電気熔接による取り付けが可能な鍔部とを備えた筒状パーツ部品において、鍔部の外面側外周部に断面三角状の熔接用凸起を全周わたって一体に突設すると共に、この凸起に沿う内側全周に、熔接時に溶けた凸起の溶融物が流れ込む全周溝を形成したことを特徴とする。
【考案の効果】
【０００６】  本考案によれば、上記したように鍔部の外面側外周部に断面三角状の熔接用凸起を全周わたって一体に突設すると共に、この凸起に沿う内側全周に、熔接時に溶けた凸起の溶融物が流れこむ全周溝を形成したから、筒状パーツ部品を金属部材に電気熔接により熔着した際、熔接時に生じる凸起の熔融物は全周溝に流れ込むことになるので、鍔部と金属部材との平行度を容易に保つことができる。これにより、円筒部を金属部材に対し正確に垂直に取り付けることができ、例えば円筒部の中心と金属部材に形成された貫通孔の中心とを正確に一致させて熔着することができる。また、上記全周溝を設けることにより熔接時に生じる凸起の熔融物の一部が円筒部内に入り込んで例えば雌ネジに付着するといった不具合も解消することができる。
【考案を実施するための最良の形態】
【０００７】  以下、本考案の実施の形態を図に基づいて説明する。
図１は本考案の筒状パーツ部品として、内部に雌ネジ１１が形成された円筒部１２と、該円筒部１２の一端に設けられ、金属部材２に取り付けるための鍔部１３とからなる円筒状ナット１を示す。そして、この円筒状ナット１における鍔部１３の外面側外周部に断面三角状の熔接用凸起１４を全周わたって一体に突設すると共に、この凸起１４に沿う内側全周に、熔接時に溶けた凸起１４の溶融物が流れ込む全周溝１５を形成したものである。【０００８】  上記金属部材２は、その表面に適宜部材３をネジ４により取り付けるためのベース部材となるもので、図示していないが複数個の貫通孔２１が形成されている。そして、この金属部材２の裏面側に円筒状ナット１を、その円筒部１２の中心Ａと上記貫通孔２１の中心Ｂとを位置合わせした状態で、電気熔接により熔着して用いられるようになされている。【０００９】  次に、本考案の作用について説明する。【００１０】  金属部材２の裏面側に円筒状ナット１を、その円筒部１２の中心Ａと上記貫通孔２１の中心Ｂとを位置合わせした状態で、電気熔接により熔着する。その際、熔接時に生じる断面三角状の凸起１４の熔融物は凸起１４の内側でその全周に沿って形成された全周溝１５に流れ込むことになる。これにより、鍔部１３と金属部材２との平行度を容易に保ちながら金属部材２の裏面に円筒状ナット１を熔着することができる。その結果、円筒部１２を金属部材２に対し正確に垂直に取り付けることができ、円筒部１２の中心Ａと金属部材２に形成された貫通孔２１の中心Ｂとを正確に一致させて熔着することができる。また、上記全周溝１５を設けることにより熔接時に生じる凸起１４の熔融物が、円筒部１４内に入り込んで雌ネジ１１に付着するといった不具合も解消することができる。【００１１】  上記した実施の形態では円筒状ナット１について説明したけれども、斯かる円筒状ナット１に限定されるものではなく、その他の筒状パーツ部品で金属部材に電気熔接により熔着される部品についても幅広く適用できることは勿論である。
【図面の簡単な説明】
【００１２】
【図１】  本考案に係る円筒状ナット（筒状パーツ部品）の縦断面図である。
【図２】  同円筒状ナットの取付状態の説明図である。
【図３】  従来の説明図である。
【図４】  同取付状態の説明図である。
【符号の説明】
【００１３】１          筒状パーツ部品
２          金属部材
１２        円筒部
１３        鍔部
１４        熔接用凸起
１５        全周溝
【図１】
0003125012.tif 000003
【図２】
0003125012.tif 000004
【図３】
0003125012.tif 000005
【図４】
0003125012.tif 000006
(57)【要約】【課題】  本考案は、地下鉄の中で駅から駅までの間の暗くて長い無駄な空間を有効的に利用するため、電車で走行中にもかかわらず、乗客が窓から外の広告板を読み取ることができることを目的とした広告板である。【解決手段】  本考案は、帯状のフィルムを輪の形にし、その両端にローラーを設け、少なくとも一方にに電車が通過する時に、電車と同じ速度で広告板の文字等が走れるように、制御装置を備えた駆動機（モーターローラ）を取り付けた広告板です。  なお、暗い所でも見えるように、照明も取り付けた広告板です。【選択図】図１
0003125014.tif 000002
【実用新案登録請求の範囲】
【請求項１】
帯状のフィルムを輪の形にし、その両端にローラーを設け、少なくとも一方に電車の通過に伴い機能する制御装置を備えた駆動機を取り付け、その上、照明を設けた、電車と共に走る広告板。
【考案の詳細な説明】
【技術分野】
【０００１】  本考案は、広告板に載っている文字等が、電車と共に走る広告板に関するものである。
【背景技術】
【０００２】  従来の広告板は全て固定されている。
従って、電車で走行中の乗客からは、窓から外の広告板は流れて見えるため、読み取ることができない。
【考案の開示】
【考案が解決しようとする課題】
【０００３】  本考案は、電車で走行中にもかかわらず、乗客が窓から広告板を読み取ることことができることを目的とした広告板である。
【課題を解決するための手段】
【０００４】  本考案は、帯状のフィルムを輪の形にし、その両端にローラーを設け、少なくとも一方に電車が通過する時に、電車と同じ速度で広告板の文字等が走れるように、制御装置を備えた駆動機（モーターローラ）を取り付けた広告板です。
なお、暗い所でも見えるように、照明も取り付けた広告板です。
【考案の効果】
【０００５】  上述の様に、本考案は電車で走行中であるにもかかわらず、同じ速度で走る広告板は止まって見えるため、乗客が窓から外の広告板を読み取ることができる。
このことは、走行中の電車の窓からは「広告板が流れて見えない」という従来の常識を打ち破ることになります。
特に、地下鉄の中で、駅から駅までの間の暗くて長い無駄な空間を有効的に利用することができ、乗客へのサービスにもつながります。
【考案を実施するための最良の形態】
【０００６】  以下、本考案の実施の形態について説明する。
電車は決められた速度で走っています。そのことから当広告板を設置する場所に伴い、その場所を通過する電車の速度が想定でき、同じ速さでフィルムを走らせるように、制御装置を備えた駆動機（モーターローラ）を取り付ける。
ただし、そのためには数秒間は見える必要があるため長い広告板が必要となります。
【実施例】
【０００７】  以下、添付図面に従って一実施例を説明する。
１はフィルムで輪になっており、数秒間は電車と共に走るため、この長さは数十メートル必要となる。このフィルムは、２のモーターローラの回転に伴い走ることとなり、そのため、電車の通過に伴い機能する制御装置を備えた駆動機（モーターローラ）を取り付ける。３は蛍光灯で、地下鉄の駅と駅との間の暗い場所に設置することを想定し、取り付けたものです。
【図面の簡単な説明】
【０００８】
【図１】本考案の両端の斜視図である。（数十メートルの長さになるため）
【図２】本考案の両端を上から見た図である。（数十メートルの長さになるため）
【図３】本考案のフィルムの一部を横から見た想定図である。
【符号の説明】
【０００９】  １．フィルム
２，モーターローラ（制御装置付き）
３．蛍光灯
【図１】
0003125014.tif 000003
【図２】
0003125014.tif 000004
【図３】
0003125014.tif 000005
(57)【要約】 【課題】農耕用鍬において、器具耐久性を高める。【解決手段】  長柄１の先端に鍬体２を装着した鍬において、板状鍬体背面における刃先側の両側縁２３を中央部分より厚く形成して、背面中央部分が凹んだ断面形状としたり、複数の櫛体を備えた櫛状体で構成される鍬体において、各櫛体の背面における刃先側の両側縁を中央部分より厚く形成して、背面中央部分が凹んだ断面形状とする。【選択図】  図２
0003125018.tif 000002
【実用新案登録請求の範囲】
【請求項１】
長柄の先端に鍬体を装着した鍬において、鍬体背面における刃先側の両側縁を中央部分より厚く形成して、背面中央部分が凹んだ断面形状としてなることを特徴とする農耕用鍬。
【請求項２】
鍬体が、先端縁の刃先部分に鋼材を採用した板状体である請求項１記載の農耕用鍬。
【請求項３】
鍬体が、複数の櫛体を備えた櫛状体で、各櫛体の先端縁の刃先部分に鋼材を採用すると共に、各櫛体の背面における刃先側の両側縁を中央部分より厚く形成して、背面中央部分が凹んだ断面形状としてなる請求項１記載の農耕用鍬。
【考案の詳細な説明】
【技術分野】
【０００１】
本考案は、手持ち農耕器具である農耕用鍬に関するものである。
【背景技術】
【０００２】
農耕用鍬は周知の通り長柄の先端に、刃縁を備えた板状鍬体や、フォーク状の櫛刃を備えた櫛状鍬体を装着している（特許文献１：登実３０９０６８８号公報図１、図３）。
【０００３】
また溝堀りや鍬体（刃床部）の両端の負荷が軽減されるように板状鍬体を、両側が跳ね上がった湾曲形状に形成したものが特許文献２（登実３０７０９４９号公報）に開示されている。
【０００４】
【特許文献１】登録実用新案第３０９０６８８号公報。
【特許文献２】登録実用新案第３０７０９４９号公報。
【考案の開示】
【考案が解決しようとする課題】
【０００５】
ところで、鍬体は、その使用によって刃先が磨耗するので、一般的に刃先部分を鋼で形成しているものであるが、それでも磨耗・変形は避けられなく、この磨耗は刃の両側部分から始まり、最終的には刃先両端が捲れたり折損してしまうものである。
【０００６】
前記した特許文献２記載のように鍬体の両側が湾曲した場合には、当該両端は捲くれに対する耐久力に優れることになるが、均しのような通常の鍬としての使用が制限される。
【０００７】
そこで本考案は、耐久性に優れた新規な農耕用鍬を提案したものである。
【課題を解決するための手段】
【０００８】
本考案に係る鍬は、長柄の先端に鍬体を装着した鍬において、鍬体背面における刃先側の両側縁を中央部分より厚く形成して、背面中央部分が凹んだ断面形状としてなることを特徴とするものである。
【考案の効果】
【０００９】
本考案の構成は上記のとおりであるから、最も磨耗し易く、また折損し易い刃の両側縁部分を厚く形成することで、強度が高まり、耐久性に優れた農耕器具を提供できたものである。
【考案を実施するための最良の形態】
【００１０】
次に本考案の実施形態について説明する。図１乃至３は本考案の第一実施形態を示すものである。
【００１１】
第一実施形態の農耕用鍬は、長柄１と板状鍬体２で構成されたもので、板状鍬体２は、従前の板状鍬体と同様に、鍬体基部に柄装着部（矩形筒部）２１を一体に設け、先端部分に刃部（鋼材を本体と一体に溶着してなる）２２を形成したもので、特に鍬体背面における刃先側の両側縁２３を中央部分より厚く形成して、図３に例示したとおり背面中央部分が凹んだ湾曲断面形状としたものである。
【００１２】
而して前記の農耕用鍬は従前の鍬と同様に使用されるもので、磨耗が激しく折損や捲りあがりが生じやすい鍬体における刃先側の両側縁２３を厚くして補強したもので、器具耐久性が向上したものである。
【００１３】
尚両側縁２３は、図示したとおり、外側縁が峰となる曲線形状が好ましいが、厚味を備えた縁部と通常の厚さの本体部分との間に段差が形成される形状でも良い。
【００１４】
図４乃至６は本考案の第二実施形態を示すもので、この農耕用鍬は、長柄１と櫛状鍬体３で構成されたものである。
【００１５】
櫛状鍬体３は、従前の櫛状鍬体と同様に、鍬体基部に柄装着部（矩形筒部）３１を一体に設け、３本歯若しくは４本歯の櫛体３２で構成され、各櫛体３２の先端部分には鋼材で形成された刃部３３を備え、特に各櫛体３２の背面における刃先側の両側縁３４を中央部分より厚く形成して、図６に例示したとおり背面中央部分が凹んだ湾曲断面形状としたものである。
【００１６】
従って前記第二実施形態の農耕用鍬も第一実施形態と同様に器具耐久性が向上したものである。
【００１７】
尚各櫛体３２の背面は、図６に示すように湾曲形状に限定されるものではなく、背面をＶ状凹部に形成しても良い。
【図面の簡単な説明】
【００１８】
【図１】本考案の第一実施形態の全体斜視図。
【図２】同鍬体の一部切断した背面斜視図。
【図３】同鍬体の断面図。
【図４】本考案の第二実施形態の全体斜視図。
【図５】同櫛体の一部切断した背面斜視図。
【図６】同櫛体の断面図。
【符号の説明】
【００１９】
１      長柄
２      板状鍬体
２１    柄装着部
２２    刃部
２３    側縁
３      櫛状鍬体
３１    柄装着部
３２    櫛体
３３    刃部
３４    側縁
【図１】
0003125018.tif 000003
【図２】
0003125018.tif 000004
【図３】
0003125018.tif 000005
【図４】
0003125018.tif 000006
【図５】
0003125018.tif 000007
【図６】
0003125018.tif 000008
(57)【要約】      （修正有）【課題】指輪等、環状形装身具のリング径の調節方法は、従来、リングを伸縮性の有るゴム紐等を用いたり、又、金属等の固形リングの場合は、リングの一部を切断削除し、一時的にリング径を広げることのできるいわゆる、「はさみ込み式」等の方法により装着しており、必ずしも個人差や時間的に変化する肉体に適合することなく装着しており、装飾を楽しむ反面、不快かつ危険な面も併せもっていた。【解決手段】装着用リング紐が、力を加えることによる紐の太さ変化を応用し、その長さを無段階に調節することができ、かつ、装身具の脱着も容易なリング径の無段階調節可能な環状形装身具により、人類古来からなる「装飾の文化」を快適かつ安全に楽しむことができる。【選択図】図１
0003125013.tif 000002
【実用新案登録請求の範囲】
【請求項１】
伸縮時に発生する紐の太さ変化を応用し、装着用リング紐の長さを自在に調節できる環状形装身具。
【考案の詳細な説明】
【技術分野】
【０００１】本考案は、指輪・足の指輪（トウーリング）等、環状形装身具に関する。
【背景技術】
【０００２】従来、環状形装身具の装着径の調節方法は、「輪ゴム式」又は、金属等固形物の場合、径の一部を切断削除して径を一時的に広げる方法、いわゆる「はさみ込み式」等により装着していた。（図３・▲あ▼▲い▼）
【考案の開示】
【考案が解決しようとする課題】
【０００３】しかしこれでは、個人差や、時間的に変化する肉体に必ずしも装着用リングの径が、合致せず、締めつけ過ぎの場合は、血管や皮膚の圧迫による肉体障害の原因となり、逆に緩みすぎの場合は、装身具が外れて、紛失や損壊の原因となっていた。
【課題を解決する為の手段】
【０００４】そこで、装着用リングの紐が、力を加えることによる太さの変化を応用し、紐を引いた時、伸びた紐が細くなりストッパー管の内側を紐が自在に移動できる状態となる。（図２▲ｂ▼）。
又、通常時は、ストッパー管と紐の摩擦により紐は固定されている（図２▲ａ▼）。
このことから、装着用リングの径を、自在かつ無段階に調節することのできる環状形装身具を考案した。（図１）
【考案の効果】
【０００５】本考案のリング径の調節可能な環状形装身具により、リングの締めつけすぎによる肉体障害、あるいは、緩んだ状態の為、装身具が外れて紛失や損壊等、装着の諸問題を解決するものであり、人類古来からなる「装飾の文化」を、快適かつ、安全に楽しむことができる。
【考案を実施する為の最良の形態】
【０００６】本考案に係るリング径を調節できる環状形装身具は、図１に示すように伸縮性を有する合成樹脂製の紐を、装着用リングとする。
通常時そのリング紐は、金属等固形物からなる、ストッパー管の内側で、２本の紐と、ストッパー管との摩擦により固定されている（図２▲ａ▼）。
リング紐を引くことにより紐が伸びて細くなりストッパー管の内側を紐が移動できる状態となる（図２▲ｂ▼）。
従って、図１に示すように、リング径を大きくしたい場合は、▲ア▼の方向に引き、反対にリング径を小さくしたい場合は、▲イ▼の方向に引き、リングの径を調節するものである。
【図面の簡単な説明】
【０００７】
【図１】本考案に係る環状形装身具の全体図である。
【図２】ストッパー管の断面図である。▲ａ▼は、リング紐の通常の状態であり、固定されている。▲ｂ▼は、リング紐を引く事により、紐が伸びその太さが細くなってストッパー管の内側を移動できる状態にある。
【図３】従来の指輪等リング径を調節できる環状形装身具の例である。▲あ▼は、ゴムをリングに使用してある装身具である。▲い▼は、金属等、固形リングの一部を切断削除して、リング径を変化させる装身具である。
【符号の説明】
【０００８】  ▲Ａ▼  装飾品
▲Ｂ▼  装着用リング紐
▲Ｃ▼  ストッパー管
▲ア▼  リング径を大きくする場合に引く方向
▲イ▼  リング径を小さくする場合に引く方向
【図１】
0003125013.tif 000003
【図２】
0003125013.tif 000004
【図３】
0003125013.tif 000005
(57)【要約】【課題】  聴診音を電気信号に変え、電気信号を増幅した音に変えて聴診しようとする電導聴診器を提供する。【解決手段】  聴診器のチェストピース部分と小型マイクロフォンを連結し、チェストピース部で捉えた音を電気信号に変え、電気的に増幅した音で聴診しようとする電導聴診器。【選択図】図１
0003125004.tif 000002
【実用新案登録請求の範囲】
【請求項１】
聴診器のチェストピースと、該チェストピースに接続された連結管と該連結管に挿入される小型マイクロフォンと、該マイクロフォンの電気信号を送るピンプラグ付き電導線とよりなる電導聴診器。
【考案の詳細な説明】
【技術分野】
【０００１】  本考案は聴診音を電気信号に変え、電気信号を増幅した音に変えて聴診しようとする電導聴診器に関するものである。
【背景技術】
【０００２】  従来の電気的な聴診器は聴診音を小型の増幅器に接続し、該増幅器に聴音器を接続して聴診しようとしていた。
【特許文献１】特開２００３−１２６０８５
【特許文献２】特開２００５−０５２５２１
【考案の開示】
【考案が解決しようとする課題】
【０００３】  そのために、次のような問題点があった。
（イ）  マイクロフォン付きチェストピース、小型増幅器は構造が複雑であったためが困難である。
本考案は以上の問題点を解決しようとするものである。
【課題を解決するための手段】
【０００４】  電気的な聴診器の開発部分を聴診部分のみに限定し、チェストピース部、小型マイクロフォン、該マイクロフォンの電気信号を送るピンプラグ付き電導線は既存の商品で補うものとする電導聴診器。
【考案の効果】
【０００５】  本考案は難聴の使用者の聴音を助け、また長時間の使用を楽にし、かつ複数の聴取者に信号音を聴音させることができる。
【考案を実施するための最良の形態】
【０００６】以下、本考案の実施の形態を説明する。
（イ）チェストピース（１）と径１０ｍｍ程度の砲弾型小型マイクロフォン（３）を柔軟な素材で作られた筒型連結管（２）の両端で、同径程度の直管でできたチェストピースの通音部分（４）と、小型マイクロフォン（３）の集音部分を包み込むように連結する。
（ロ）小型マイクロフォン（３）は、電導線（４）と、先端に増幅器に接続するピンプラグ（５）を有する。
本考案は以上のような構造で、これを使用するときは、チェストピース（１）を捉えようとする音源に密着するように当てる。チェストピース（１）で捉えられた音は通音部（４）を通り、通音部（６）と小型マイクロフォン（３）の集音部（７）を繋ぐ連結管（２）によって周囲の雑音を入れることなく、小型マイクロフォン（３）の集音部に伝えられ、電気信号に変えられる。該電気信号を送る電導線（４）と接続するするピンプラグ（５）で他の増幅器のピンジャックに接続すれば、聴診音を増幅器のスピーカーより直接聞いたり、録音したり、ヘッドフォンを使用して聞いたりすることができる。
【図面の簡単な説明】
【０００７】
【図１】本考案の斜視図
【図２】本考案の連結部分を拡大した断面図
【図３】本考案の使用状態を示す斜視図
【符号の説明】
【０００８】  １  チェストピース
２  連結管
３  小型マイクロフォン
４  電導線
５  ピンプラグ
６  通音部
７  集音部
【図１】
0003125004.tif 000003
【図２】
0003125004.tif 000004
【図３】
0003125004.tif 000005